【手続補正書】
【提出日】平成20年3月26日(2008.3.26)
【手続補正１】
【補正対象書類名】明細書
【補正対象項目名】特許請求の範囲
【補正方法】変更
【補正の内容】
【特許請求の範囲】
【請求項１】  遠位端と、近位端と、内表面と、外表面と、を有する第１の概ね管状の部材と；
磁気共鳴イメージング（ＭＲＩ）を利用した内部イメージングのための、前記管状部材に取り付けられた検出器コイルと；
を備えた、磁気共鳴イメージング（ＭＲＩ）を利用した内部イメージングのための装置。
【請求項２】  前記検出器コイルが前記第１の管状部材の前記遠位端に近接して取り付けられていることを特徴とする、請求項１に記載の装置。
【請求項３】  前記検出器コイルが前記第１の管状部材の前記外表面に接している又は該管状部材中に埋入されていることを特徴とする、請求項１に記載の装置。
【請求項４】  前記検出器コイルをＭＲＩスキャナに電気的に接続するための電気的伝送部材を更に備えた、請求項３に記載の装置。
【請求項５】  前記電気的伝送部材が前記第１の管状部材の前記外表面に接していることを特徴とする、請求項４に記載の装置。
【請求項６】  前記電気的伝送部材が同軸ケーブルであることを特徴とする、請求項４に記載の装置。
【請求項７】  前記同軸ケーブルが前記第１の管状部材中に埋入されかつ第１の編組と第２の編組とを備えたことを特徴とする、請求項６に記載の装置。
【請求項８】  第３の編組を更に備えた、請求項７に記載の装置。
【請求項９】  前記電気的伝送部材が三軸ケーブルであることを特徴とする、請求項５に記載の装置。
【請求項１０】  前記第１の概ね管状の部材と同軸に配置された第２の概ね管状の部材を更に備えた、請求項１に記載の装置。
【請求項１１】  前記第２の概ね管状の部材が前記第１の概ね管状の部材に対して滑動可能であることを特徴とする、請求項１０に記載の装置。
【請求項１２】  前記検出器コイルに、ループ状コイル、クワドラチャループ状コイル、非ループ状コイル、ループ状伸張式コイル、クワドラチャループ状伸張式コイル又は非ループ状伸張式コイルのうちの少なくとも１つが含まれることを特徴とする、請求項１に記載の装置。
【請求項１３】  前記第１の概ね管状の部材が身体内への挿入に適した大きさであることを特徴とする、請求項１に記載の装置。
【請求項１４】  前記第１の概ね管状の部材が、医療機器がその中を通行するのに適した大きさであることを特徴とする、請求項１に記載の装置。
【請求項１５】  前記検出器コイルがフレキシブル回路基板上に配置されていることを特徴とする、請求項１に記載の装置。
【請求項１６】  前記検出器コイルがソレノイドを備えたことを特徴とする、請求項１に記載の装置。
【請求項１７】  前記内表面の内側の管腔内を通行するのに適したプローブを更に備えた、請求項１に記載の装置。
【請求項１８】  前記プローブにプローブ検出器コイルが含まれている、請求項１７に記載の装置。
【請求項１９】  前記プローブ検出器コイルに、ループ状コイル、クワドラチャループ状コイル、非ループ状コイル、ループ状伸張式コイル、クワドラチャループ状伸張式コイル又は非ループ状伸張式コイルのうちの少なくとも１つが含まれることを特徴とする、請求項１８に記載の装置。
【請求項２０】  前記管状部材をその取付先の機器に取り付けるための、前記遠位端に配置された取付ポイントを更に備え、前記取付先の機器に医療機器が永久的又は一時的に取り付けられていることを特徴とする、請求項１に記載の装置。
【請求項２１】  前記近位端に配置されると共にたストレインリリーフを含んだコネクタハブを更に備えた、請求項２０に記載の装置。
【請求項２２】  前記コネクタハブにストレインリリーフが含まれることを特徴とする、請求項１に記載の装置。
【請求項２３】  同調／整合回路及び減結合回路を有するインターフェースシステムであって、前記検出器コイルとＭＲＩイメージングシステムとの間に配置されているインターフェースシステムを更に備えた、請求項１に記載の装置。
【請求項２４】  前記外表面と前記内表面とのうちの少なくとも一方が潤滑性の材料で被覆されていることを特徴とする、請求項１に記載の装置。
【請求項２５】  遠位端と、近位端と、前記遠位端と近位端との間に延伸する管腔と、を有する概ね管状の部材と；
磁気共鳴イメージング（ＭＲＩ）を利用した内部イメージングのための検出器コイルと；
を備え、
前記管状部材が、前記検出器コイルに対する少なくとも２つの状態間を移動可能であり、前記第１の状態では、前記検出器コイルが前記管腔内部に配置されており、前記第２の状態では、前記検出器コイルが前記管腔から延伸してイメージングを可能にすることを特徴とする、磁気共鳴イメージング（ＭＲＩ）を利用したイメージングのための装置。
【請求項２６】  前記検出器コイルに、ループ状伸張式コイル、クワドラチャループ状伸張式コイル又は非ループ状伸張式コイルのうちの少なくとも１つが含まれることを特徴とする、請求項２５に記載の装置。
【請求項２７】  前記検出器コイルが前記第２の状態では伸張しており、前記第１の状態の前記検出器コイルの大きさが、前記第２の状態の前記検出器コイルの大きさと異なることを特徴とする、請求項２５に記載の装置。
【請求項２８】  前記検出器コイルが、前記第１の状態で被検体内に配置され、前記第２の状態で前記被検体中の磁気共鳴を検出することを特徴とする、請求項２５に記載の装置。
【請求項２９】  前記検出器コイルが、カテーテル内への挿入及びその中での通行に適した大きさであることを特徴とする、請求項２５に記載の装置。
【請求項３０】  前記検出器コイルが、前記第１の状態でイメージング可能であることを特徴とする、請求項２５に記載の装置。
【請求項３１】  体腔閉塞機器を更に備えた、請求項２５に記載の装置。
【請求項３２】  同調／整合回路及び減結合回路を有するインターフェースシステムであって、前記検出器コイルとＭＲＩイメージングシステムとの間に配置されているインターフェースシステムを更に備えた、請求項２５に記載の装置。
【請求項３３】  磁気共鳴の内部検出のための第１の検出器コイルと；
磁気共鳴の内部検出のための第２の検出器コイルと；
前記第１の検出器コイルと前記第２の検出器コイルとを組み合わせて用いてイメージング対象範囲内における磁気共鳴を検出するための制御装置と；
を備えた、磁気共鳴イメージング（ＭＲＩ）を利用したイメージングのためのシステム。
【請求項３４】  前記制御装置が、前記第１の検出器コイルを前記第２の検出器コイルと並列に用いることを特徴とする、請求項３３に記載のシステム。
【請求項３５】  前記制御装置が、前記第２の検出器コイルから独立に前記第１の検出器コイルを用いたイメージングを選択可能であることを特徴とする、請求項３３に記載のシステム。
【請求項３６】  磁気共鳴を外部で検出する第３の検出器コイルを更に備えた、請求項３３に記載のシステム。
【請求項３７】  前記制御装置が、前記第１の検出器コイルによって発生したイメージと前記第２の検出器コイルによって発生したイメージとを複合させたイメージを生成することを特徴とする、請求項３３に記載のシステム。
【請求項３８】  第１及び第２の検出器コイルを、被検体内部のイメージング対象範囲に隣接して配置する手段と；
前記第１の検出器コイルを、前記第２の検出器コイルに対して、これらのコイルの組み合わせが前記磁気共鳴を検出するような具合に移動させる手段と；
を備えた、磁気共鳴イメージング（ＭＲＩ）を利用したイメージングのためのシステム。
【請求項３９】  ＭＲＩを利用した内部イメージングのための検出器コイルと；
前記検出器コイルと連絡したトリガ機構と；
を備え、前記トリガ機構の作動によって、前記検出器コイルが、収縮した状態から伸張した状態へと変化することを特徴とする、ＭＲＩを利用したイメージングのための装置。
【請求項４０】  前記トリガ機構が引張りワイヤを備えたことを特徴とする、請求項３９に記載の装置。
【請求項４１】  前記収縮した状態の前記検出器コイルの大きさが、前記伸張した状態の前記検出器コイルの大きさと異なることを特徴とする、請求項３９に記載の装置。